(57)【要約】【課題】外部受信増幅器を用いる場合と内蔵受信増幅器を用いる場合とで、装置外部の結線形態を変更する必要があるという従来装置の問題点を解決し、外部，内蔵のいずれの受信増幅器を用いる場合にも結線形態を変更しない単純な結線のみで自動的に対応するように設置可能な無線周波信号受信装置を提供する。【解決手段】外部受信増幅器が接続されているか否かを検出した結果によって受信信号経路の切替および電源の切替を自動的に行うように構成されている。【選択図】　　　図１
2004040282.tif 000002
【特許請求の範囲】
【請求項１】
無線周波信号を受信するアンテナとのインターフェースのための第１のアンテナ端子と、
無線周波信号を受信するアンテナとのインターフェースのための第２のアンテナ端子と、
前記第１のアンテナ端子からの前記無線周波信号を受信するために該第１のアンテナ端子に接続された内蔵受信増幅器と、
前記第２のアンテナ端子への前記無線周波信号を受信するために前記アンテナと該第２のアンテナ端子との間に高周波ケーブルにより接続された外部受信増幅器と、
前記内蔵受信増幅器へ供給される電源からの電源電流を前記第２のアンテナ端子から前記高周波ケーブルに重畳して前記外部受信増幅器に供給する電源供給手段と、
前記電源からの電源電流を前記内蔵受信増幅器に供給する第１の電源供給状態か、または、前記第２のアンテナ端子から前記高周波ケーブルに重畳して前記外部受信増幅器に供給する第２の電源供給状態かを選択する第１の選択手段と、
前記内蔵受信増幅器の受信出力を選択する第１の出力状態か、または、前記前記第２のアンテナ端子から得られる前記外部受信増幅器の受信出力を選択する第２の出力状態かを選択して得られる該受信出力を送出する第２の選択手段と、
前記電源から前記内蔵受信増幅器または前記外部受信増幅器に供給される電源電流が正常であるか否かを検知する第１の検知手段と、
前記第２の選択手段からの出力が正常であるか否かを検知する第２の検知手段と、
前記第１の選択手段と前記第２の選択手段とを制御する制御手段と、
を備え、
該制御手段は、
動作開始の際には前記第１の選択手段が前記第１の電源供給状態と前記第２の電源供給状態のうちの予め定めた一方の番号の該電源供給状態を選択するとともに前記第２の選択手段が前記１の出力状態と前記２の出力状態のうちの該予め定めた一方の番号と同一番号の出力状態を選択し、
前記第１の検知手段と前記第２の検知手段との検知結果が正常である状態ではその選択状態を維持し、
前記第１の検知手段と前記第２の検知手段との検知結果が正常ではない状態になったときには前記第１の選択手段が前記第１の電源供給状態と前記第２の電源供給状態のうちの前記予め定めた一方の番号と異なる他方の番号の該電源供給状態を選択するとともに前記第２の選択手段が前記１の出力状態と前記２の出力状態のうちの該予め定めた一方の番号と異なる他方の番号と同一番号の出力状態を選択する制御をするように構成された
無線周波信号受信装置。
【発明の詳細な説明】
【０００１】
【発明の属する技術分野】
本発明は、移動通信システムの不感地対策用等のために受信信号を前置増幅する無線周波信号受信装置に関し、特にアンテナ設置条件に応じて筐体外部あるいは筐体内部のいずれかを選択して設置する無線周波信号受信装置に関するものである。
【０００２】
【従来の技術】
図４及び図５に、外部受信増幅器２を使用する場合と内蔵受信増幅器４を使用する場合とを選択可能な基地局装置３の従来の構成例を示す。
図４は外部受信増幅器２を用いる場合の従来の構成図である。
アンテナ１からの受信信号は外部受信増幅器２に入力後、アンテナ共用器（ＤＵＰ）２１により送信信号と分離され、低雑音増幅器（ＬＮＡ）２３で増幅された後に高周波ケーブル２７を介して基地局装置３のアンテナ端子ＡＮＴ２ａに入力される。基地局装置３の内部では、外部受信増幅器２に同軸ケーブルを介して電源３１からの直流電源を供給するための直流重畳部３２を通過後、直流遮断用コンデンサ３３とカプラ３４を介して変復調部（ＴＲＸ）３６に入力されその出力側は、入出力部３７に接続されている。
また、外部受信増幅器２には試験信号発生器（ＰＬＴ−ＯＳＣ）２６が備えてあり、受信周波数帯域に近接する周波数信号を発生し、低雑音増幅器２３の入力部に設けられたカプラ２２に加えられる。この信号を基地局装置３内のレベル検出器３５でレベル検出することにより外部受信増幅器２が正常に動作しているかどうかを常時監視している。なお、基地局３の電源３１からの電源電流は電源重畳部３２でアンテナ端子ＡＮＴ２ａに接続された高周波ケーブル２７に重畳されて、外部受信増幅器２に供給され、電源分離部２５において分離されて、低雑音増幅器２３及び試験信号発生器２６に加えられている。
【０００３】
図５は外部受信増幅器２を使用せずに、内蔵受信増幅器４を用いる場合の従来の構成図である。図４の基地局装置３では説明を省略したが、基地局装置３，３ａ内には内臓受信増幅器４が設けられており、外部受信増幅器２と同様に、アンテナ共用器（ＤＵＰ）４１，カプラ４２，試験信号発生器（ＰＬＴ−ＯＳＣ）４３，低雑音増幅器（ＬＮＡ）４４，電源分離部４５，直流遮断コンデンサ４６が用いられており、外部受信増幅器２を用いる場合と同様の動作を行う。なお、４７は、本発明に係る受信装置には直接的な関連はないが、基地局装置３，３ａからアンテナ１への送信信号を送出するための送信電力増幅器である。また、電源重畳部３２からＬＮＡ４４とＰＬＴ−ＯＳＣ４３への電源供給のため、アンテナ端子ＡＮＴ２ｂ端子を経由してアンテナ端子ＡＮＴ２ａ端子に接続されている。
【０００４】
【発明が解決しようとする課題】
このように、従来の構成では、外部受信増幅器２を用いる場合と内蔵受信増幅器４を用いる場合とで、装置外部の結線形態を変更する作業が必要であり、受信装置の設置作業が煩雑になるという問題があった。
【０００５】
本発明の目的は、外部受信増幅器を用いる場合と内蔵受信増幅器を用いる場合とで、装置外部の結線形態を変更する必要があるという従来装置の問題点を解決し、外部，内蔵のいずれの受信増幅器を用いる場合にも結線形態を変更しない単純な結線のみで自動的に対応するように設置可能な無線周波信号受信装置を提供することにある。
【０００６】
【課題を解決するための手段】
この目的を解決するために、本発明による無線受信装置は、無線周波信号を受信するアンテナとのインターフェースのための第１のアンテナ端子と、
無線周波信号を受信するアンテナとのインターフェースのための第２のアンテナ端子と、
前記第１のアンテナ端子からの前記無線周波信号を受信するために該第１のアンテナ端子に接続された内蔵受信増幅器と、
前記第２のアンテナ端子への前記無線周波信号を受信するために前記アンテナと該第２のアンテナ端子との間に高周波ケーブルにより接続された外部受信増幅器と、
前記内蔵受信増幅器へ供給される電源からの電源電流を前記第２のアンテナ端子から前記高周波ケーブルに重畳して前記外部受信増幅器に供給する電源供給手段と、
前記電源からの電源電流を前記内蔵受信増幅器に供給する第１の電源供給状態か、または、前記第２のアンテナ端子から前記高周波ケーブルに重畳して前記外部受信増幅器に供給する第２の電源供給状態かを選択する第１の選択手段と、
前記内蔵受信増幅器の受信出力を選択する第１の出力状態か、または、前記前記第２のアンテナ端子から得られる前記外部受信増幅器の受信出力を選択する第２の出力状態かを選択して得られる該受信出力を送出する第２の選択手段と、
前記電源から前記内蔵受信増幅器または前記外部受信増幅器に供給される電源電流が正常であるか否かを検知する第１の検知手段と、
前記第２の選択手段からの出力が正常であるか否かを検知する第２の検知手段と、
前記第１の選択手段と前記第２の選択手段とを制御する制御手段と、
を備え、
該制御手段は、
動作開始の際には前記第１の選択手段が前記第１の電源供給状態と前記第２の電源供給状態のうちの予め定めた一方の番号の該電源供給状態を選択するとともに前記第２の選択手段が前記１の出力状態と前記２の出力状態のうちの該予め定めた一方の番号と同一番号の出力状態を選択し、
前記第１の検知手段と前記第２の検知手段との検知結果が正常である状態ではその選択状態を維持し、
前記第１の検知手段と前記第２の検知手段との検知結果が正常ではない状態になったときには前記第１の選択手段が前記第１の電源供給状態と前記第２の電源供給状態のうちの前記予め定めた一方の番号と異なる他方の番号の該電源供給状態を選択するとともに前記第２の選択手段が前記１の出力状態と前記２の出力状態のうちの該予め定めた一方の番号と異なる他方の番号と同一番号の出力状態を選択する制御をするように構成されている。
【０００７】
【発明の実施の形態】
本発明の構成例を図１および図２に示す。図１は外部受信増幅器２を用いる場合の結線、図２は内蔵受信増幅器４を用いる場合の結線である。
本発明による無線受信装置は、基地局装置３に備わる、外部受信増幅器２の電源供給およびゲイン監視（ゲイン検出器３５）の機能を利用して、外部受信増幅器２が接続されているか否かを検出し、その結果によって受信信号経路の切替および電源の切替を自動的に行うように構成されている。基地局装置３内には、従来の構成に加えて、電源からの電源電流を検出する機能部３０ａ、電源供給を外部受信増幅器２あるいは内蔵受信増幅器４のいれかに切替える電源供給切替機能部（ＳＷ１）、外部受信増幅器２あるいは内蔵受信増幅器４から受信信号を選択して変復調部３６に接続する受信信号切替機能部（ＳＷ２）、および電源電流検出とゲイン検出の結果によってスイッチＳＷ１，ＳＷ２の切替制御を行うＬＮＡ制御部３０を有する。
【０００８】
本発明装置において、ＬＮＡ制御部３０により、スイッチＳＷ１とＳＷ２を切替えて、外部受信増幅器２と内蔵受信増幅器４を選択する制御について説明する。
基地局装置３の起動時には、図３に示すように、例えば、外部受信増幅器２の接続を前提として動作を開始し、ＬＮＡ制御部３０によりスイッチＳＷ１，ＳＷ２は共に“２”側に設定される（Ｓ１）。すなわち、電源３１からの電流は外部受信増幅器２へ供給するべく電源重畳部３２に供給され、受信信号は外部受信増幅器２からの信号を選択して変復調部３６に接続される。
装置起動後一定時間（受信増幅装置２が安定動作するまでの時間、例えば１秒間）経過後（Ｓ２）、電源電流およびＬＮＡゲイン検出を行い、ＬＮＡ制御部３０で適正な値かどうかの判定を行う（Ｓ３，Ｓ４）。
【０００９】
電源電流が流れていないか、またはパイロット信号が検出されない場合には、外部受信増幅器２が接続されていないと見なされるので、即時にスイッチＳＷ１，ＳＷ２を“１”側に切替え、内蔵受信増幅器４側に電源および信号経路を切替える（Ｓ５）。電源電流検出およびパイロット信号検出によるゲイン検出の結果が適正であった場合には、外部受信増幅器２が正しく機能しているので、この状態で継続動作する（Ｓ３，Ｓ４）。更に時間が経過した後に電源電流あるいはゲインに異状が現れた場合には、外部あるいは内蔵受信増幅装置４の故障であると認められるので、異状が発生したことを入出力部３７介してネットワーク側に報知することも可能である（Ｓ６，Ｓ７）。
【００１０】
以上は、ステップＳ１でスイッチＳＷ１，ＳＷ２を“２”側に接続するものとしたが、ステップＳ１でスイッチＳＷ１，ＳＷ２を“１”側に接続しておき、ステップＳ５でスイッチＳＷ１，ＳＷ２を“２”側に接続するように制御することもできる。この制御形態は、外部受信増幅器２の利得を内蔵受信増幅器４の利得より大きく設定しておき、場合により受信信号レベルの一時的上昇をする場合、等に利用することができる。
【００１１】
【発明の効果】
以上詳細に説明したように、本発明を実施することにより、基地局装置を設置する際に外部受信増幅器を用いるか否かに関わらず、簡単な接続と装置の起動のみでＬＮＡ電源の切替および受信信号経路が的確に設定されることにより、基地局設置時の作業量を効果的に低減することが可能である。
また、装置構成においては従来の内蔵受信増幅器出力端子ＡＮＴ２ｂおよびこれに伴う装置内部のケーブル引き回しが不要になるため、装置サイズの小型化に寄与することを可能とする効果を得ることができる。
【図面の簡単な説明】
【図１】本発明により外部受信増幅器を使用する場合の構成例図である。
【図２】本発明により内蔵受信増幅器を使用する場合の構成例図である。
【図３】本発明装置における制御動作を説明するためのフロー図である。
【図４】従来の装置構成で外部受信増幅器を使用する場合の構成図である。
【図５】従来の装置構成で内蔵受信増幅器を使用する場合の構成図である。
【符号の説明】
１　アンテナ
２　外部受信増幅器
３，３ａ，３ｂ　基地局装置
４　内蔵受信増幅器
２１　アンテナ共用器
２２　カプラ
２３　低雑音増幅器（ＬＮＡ）
２４　直流遮断コンデンサ
２５　電源分離部
２６　試験信号発生器
３０　低雑音増幅器（ＬＮＡ）制御部
３０ａ　電流検出部
３１　電源
３２　電源重畳部
３３　直流遮断用コンデンサ
３４　カプラ
３５　ゲイン検出器
３６　変復調部
３７　入出力部（Ｉ／Ｏ）
３８　送信電力増幅器
４１　アンテナ共用フィルタ
４２　カプラ
４３　試験信号発生器
４４　低雑音増幅器
４５　電源分離部
４６　直流遮断コンデンサ
４７　送信電力増幅器
ＳＷ１，ＳＷ２　スイッチ
【図１】
2004040282.tif 000003
【図２】
2004040282.tif 000004
【図３】
2004040282.tif 000005
【図４】
2004040282.tif 000006
【図５】
2004040282.tif 000007